(57)【要約】
【課題】  名刺サイズのペーパーを作成するにおいて、横向及び縦向の切断をほぼ同時に確実に裁断可能な名刺カッターを提供する。
【解決手段】  上方に上部カバー１０が設けられ、一側に収容溝２１が形成されると共に、収容溝２１の両側に壁２１１が設けられ、収容溝２１の付近にカット溝２２が形成されると共に、両側に摺動用ロッド２４，２４１を有する取付プレート２３が設けられる本体２０と、摺動用ロッド２４，２４１に移動可能に設けられると共に、取付孔３２，３３を有する横カッター３０と、収容溝２１に収容されると共に、上部ロッド４１と下部ロッド４２を有し、上部ロッド４１と下部ロッド４２に夫々密接する複数のリング状ブレード４３が設けられ、各リング状ブレード４３の間に位置決めパイプ４４が設けられる縦カッター４０とを備えることを特徴とする。
【選択図】  図１
0003101338.tif 000002
【実用新案登録請求の範囲】
【請求項１】
上方に上部カバー１０が設けられ、一側に収容溝２１が形成されると共に、収容溝２１の両側に壁２１１が設けられ、収容溝２１の付近にカット溝２２が形成されると共に、両側に摺動ロッド２４，２４１を有する取付プレート２３が設けられる本体２０と、摺動用ロッド２４，２４１に移動可能に設けられると共に、取付孔３２，３３を有する横カッター３０と、収容溝２１に収容されると共に、上部ロッド４１と下部ロッド４２を有し、上部ロッド４１と下部ロッド４２に夫々密接する複数のリング状ブレード４３が設けられると共に、各リング状ブレード４３の間に位置決めパイプ４４が設けられた縦カッター４０とを備えることを特徴とする名刺カッター。
【請求項２】
前記横カッター３０は、上側にプレート状の取手部３１が設けられると共に、中央に高低差を有する取付孔３２，３３が形成されたブロック部材からなり、該ブロック部材の一側には円盤状のブレード３４が設けられていることを特徴とする請求項１に記載の名刺カッター。
【請求項３】
前記上部カバー１０は内部一側にカットアウト１３を有する中空の突出部１１が設けられ、該突出部１１のカットアウト１３側に位置決め部材１４を有する紙送り部１２が設けられ、又、上部カバー１０の外側に貫通孔１５と位置決め孔１６が形成され、前記上部ロッド４１の一端に制御部４５１を有する調整部材４５が設けられ、該調整部材４５の内側に先端部に位置決めボール有し且つ該ボールを常時前記位置決め孔１６側に付勢するようにした位置決めブロック４５２が設けられることを特徴とする請求項２に記載の名刺カッター。
【考案の詳細な説明】
【技術分野】
【０００１】
本考案は、名刺サイズのペーパーを裁断するにおいて、横向及び縦向の切断をほぼ同時に確実に裁断することができるようにした名刺カッターに関するものである。
【背景技術】
【０００２】
従来の名刺カッターは内部に複数のリング状ブレードを有する横ロッドが設けられると共に、外部に紙送りが設けられるものである。名刺を裁断する際、複数の名刺を印刷したペーパーを紙送り部に載置すると共に、名刺カッターのリング状ブレードによってペーパーの縦向に沿って名刺の半製品が切断されるようにしたものがある。
【考案の開示】
【考案が解決しようとする課題】
【０００３】
しかしながら、上記の名刺カッターによって切断された名刺の半製品は、さらにペーパーの横向に沿って名刺を切断するような他の手続が必要であり、作業性並びに使用上非常に不便である。
そこで、案出されたのが本考案であって、横向及び縦向に沿ってほぼ同時に名刺を確実に裁断可能とした名刺カッターを提供することを目的としている。
【課題を解決するための手段】
【０００４】
本願の請求項１の考案は、上方に上部カバー１０が設けられ、一側に収容溝２１が形成されると共に、収容溝２１の両側に壁２１１が設けられ、収容溝２１の付近にカット溝２２が形成されると共に、両側に摺動用ロッド２４，２４１を有する取付プレート２３が設けられる本体２０と、摺動用ロッド２４，２４１に摺動可能に設けられると共に、取付孔３２，３３を有する横カッター３０と、収容溝２１に収容されると共に、上部ロッド４１と下部ロッド４２を有し、上部ロッド４１と下部ロッド４２に夫々密接する複数のリング状ブレード４３が設けられると共に、各リング状ブレード４３の間に位置決めパイプ４４が設けられる縦カッター４０とを備えることを特徴とする。
【０００５】
本願の請求項２の考案は請求項１に記載の名刺カッターにおいて、前記横カッター３０は上側にプレート状の取手部３１が設けられると共に、中央に高低差を有する取付孔３２，３３が形成されるブロック部材であり、該ブロック部材の一側に円盤状のブレード３４が設けられることを特徴とする。
【０００６】
本願の請求項３の考案は、請求項２に記載の名刺カッターにおいて、前記上部カバー１０は内部に一側にカットアウト１３を有する中空の突出部１１が設けられ、該突出部１１のカットアウト１３側に位置決め部材１４を有する紙送り部１２が設けられ、又、上部カバー１０の外側に貫通孔１５と位置決め孔１６が形成され、前記上ロッド４１の一端に制御部４５１を有する調整部材４５が設けられ、該調整部材４５の内側に先端部に位置決めボール有し且つ該ボールを常時前記位置決め孔１６側に付勢するようにした位置決めブロック４５２が設けられることを特徴とする。
【考案の効果】
【０００７】
本考案は上記の課題を解決するものであり、内部にペーパーの縦向に沿ってカットする縦カッターを有するだけではなく、ペーパーの横向に沿ってカットする横カッターを備えることにより、名刺の縦，横方向の切断をほぼ同時に確実に裁断することができるようにしたので、名刺作成における裁断作業が非常に容易である。
【考案を実施するための最良の形態】
【０００８】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【実施例】
【０００９】
図１は本考案に係る名刺カッターの斜視図であり、図２は本考案に係る名刺カッターの断面図であり、図３は本考案に係る名刺カッターの一部を示す斜視図であり、図４は本考案に係る名刺カッターの横カッターを示す斜視図であり、図５は本考案に係る名刺カッターの縦カッター及び横カッターを示す平面図であり、図６は本考案に係る名刺カッターの調整部材を示す分解斜視図であり、図７は本考案に係る名刺カッターの使用状態を示す平面図である。
【００１０】
図１乃至図３に示すように、本考案に係る名刺カッターは上部カバー１０と、本体２０と、横カッター３０と、縦カッター４０とを備え、上部カバー１０は内部一側にカットアウト１３を有する中空の突出部１１が設けられ、該突出部１１のカットアウト１３側に位置決め部材１４を配設した紙送り部１２が設けられている。
また、図６に示すように、上部カバー１０の一方の外側には貫通孔１５と位置決め孔１６が形成されている。
【００１１】
前記本体２０は一側に収容溝２１が形成されると共に、この収容溝２１の両側に壁２１１が設けられ、紙送り部１２に対する収容溝２１の近傍にカット溝２２が形成されると共に、本体２０の両側に前記横カッター３０が移動するための一対の摺動用ロッド２４，２４１を配設した取付プレート２３が設けられている。
【００１２】
前記横カッター３０は、上側にプレート状の取手部３１が設けられると共に、中央に高低差をもって取付孔３２，３３が形成されるブロック部材からなり、該ブロック部材の一側に円盤状のブレード３４が設けられる。
【００１３】
前記縦カッター４０は上部ロッド４１と下部ロッド４２を有し、上部ロッド４１と下部ロッド４２に夫々密接する複数のリング状ブレード４３が設けられると共に、各リング状ブレード４３の間に位置決めパイプ４４が設けられ、上部ロッド４１の一端に制御部４５１を有する調整部材４５が設けられ、該調整部材４５の内側には、先端部に位置決めボール有し且つ該ボールを常時前記位置決め孔１６側に付勢するようにした位置決めブロック４５２が設けられている（図６及び図７を参照）。
【００１４】
また、図１乃至図３に示すように、前記上部カバー１０は、本体２０の上部に位置決めされ、前記横カッター３０及び縦カッター４０は本体の前部に配設され、前記横カッター３０が取付孔３２，３３によって本体２０の摺動用ロッド２４，２４１に移動可能に設けられることにより、横カッター３０が本体２０に取り付けられ、また、ブレード３４の下端がカット溝２２に収容され、該縦カッター４０の下部ロッド４２が本体２０の収容溝２１に収容され、上部ロッド４１の両端が壁２１１に結合され、上部カバー１０と本体２０を併合することで、上部ロッド４１が突出部１１の内部に収容される。
【００１５】
図２及び図４に示すように、前記ブレード３４は横カッター３０の一側に設けられ、操作する際、ブレード３４の刃端はカット溝２２の内部に位置すると共に、傾斜面に沿ったカット溝２２の一側と接触することにより、ペーパ−の横方向のカットを行うので、ペーパーのカット時の切断不均一の問題を防止できる。
【００１６】
ペーパー５０は紙送り部１２に載置する際、位置決め部材１４によってペーパー５０を位置決めし、ペーパー５０の下端が上部カバー１０のカットアウト１３を通過するようにすると共に、縦カッター４０上部ロッド４１及び下部ロッド４２の間に位置させ、図２に示すように、制御部４５１によって調整部材４５を回転させ、縦カッター４０の上部ロッド４１を回転させると共に、下部ロッド４２を上部ロッド４１の回転方向に対する逆方向に回転させることにより、ペーパー５０を前方へ進めると共に、リング状ブレード４３によってペーパー５０を縦向に沿って切断する。
【００１７】
図４及び図６に示すように、調整部材４５に設けられた制御部４５１は１回転（３６０度）した外周長さが名刺の上下と等しい長さとなるので、前記縦カッター４０によって切断された名刺は、次に前記横カッター３０の取手部３１によって横カッター３０を摺動用ロッド２４，２４１に沿って移動することにより、横カッター３０のブレード３４がペーパー５０の横方向を切断する。
【００１８】
また、図５及び図７に示すように、本考案に係る名刺カッターの実施例には縦カッター４０における上部ロッド４１及び下部ロッド４２に名刺の左右幅に対する三組のリング状ブレード４３が設けられることにより、所定サイズの名刺を裁断することができ、また、位置決めパイプ４４によってリング状ブレード４３の位置を調整することで、名刺の縦方向切断幅を変更できる。
【００１９】
本考案の名刺カッターによれば、内部にペーパーの縦向に沿ってカットする縦カッターを有するだけではなく、ペーパーの横向に沿ってカットする横カッターを有することにより、名刺の縦，横方向の切断をほぼ同時に確実に裁断することができるので、作業性が良く非常に便利である。
【図面の簡単な説明】
【００２０】
【図１】本考案に係る名刺カッターの斜視図である。
【図２】本考案に係る名刺カッターの断面図である。
【図３】本考案に係る名刺カッターの一部を示す斜視図である。
【図４】本考案に係る名刺カッターの横カッターを示す斜視図である。
【図５】本考案に係る名刺カッターの縦カッター及び横カッターを示す平面図である。
【図６】本考案に係る名刺カッターの調整部材を示す分解斜視図である。
【図７】本考案に係る名刺カッターの使用状態を示す平面図である。
【符号の説明】
【００２１】
１０        上部カバー
１１        突出部
１２        紙送り部
１３        カットアウト
１４        位置決め部材
１５        貫通孔
１６        位置決め孔
２０        本体
２１        収容溝
２１１      壁
２２        カット溝
２３        取付プレート
２４        摺動用ロッド
２４１      摺動用ロッド
３０        横カッター
３１        取手部
３２        取付孔
３３        取付孔
３４        ブレード
４０        縦カッター
４１        上部ロッド
４２        下部ロッド
４３        リング状プレート
４４        位置決めパイプ
４５        調整部材
４５１      制御部
４５２      位置決めブロック
５０        ペーパー
【図１】
0003101338.tif 000003
【図２】
0003101338.tif 000004
【図３】
0003101338.tif 000005
【図４】
0003101338.tif 000006
【図５】
0003101338.tif 000007
【図６】
0003101338.tif 000008
【図７】
0003101338.tif 000009